(57)【要約】　　　（修正有）【課題】公認サイズのサッカーゴールのみならず、フットサル、また、例えば、各年齢層の体格に合わせた種々のサイズの組立簡単な簡易組立式サッカーゴールを得る。【解決手段】大径部１又は１′及び小径部２を有する直線型バー部材３，４及び折れ曲がった大径部の直線部分１Ａ，１Ｂの長さの合計が直線型バー部材３の大径部１の長さに等しいエルボー型バー部材５のそれぞれを複数本組み合わせて組み立てる組立式サッカーゴール１０であって、各バー部材の一方の端部の小径部２は同一長さであり、エルボー型バー部材５の小径部とは反対側の大径部の直線部分１Ｂの長さより短いものとし、小径部の内部に、ばね負荷で半径方向外方に押圧されて一部が小径部２及びこの小径部に差し込まれる他のバー部材の大径部に設けた開孔部に突入して小径部２に差し込まれる他のバー部材の大径部１，１′又は１Ｂの外周面から突出するストッパー部材を設ける。【選択図】　　図３
0003100080.tif 000002
【実用新案登録請求の範囲】
【請求項１】
　組立式サッカーゴールにおいて、大径部及び一方の端部に小径部を有する直線型バー部材、及び前記大径部及び小径部を有して折れ曲がった大径部の直線部分の長さの合計が前記直線型バー部材の大径部の長さに等しいエルボー型バー部材のそれぞれを複数本組み合わせて組み立てる組立式サッカーゴールであって、各バー部材の一方の端部の前記小径部は同一長さであり、エルボー型バー部材の小径部とは反対側の大径部の直線部分の長さより短いものとし、前記小径部の内部に、ばね負荷で半径方向外方に押圧されて一部が前記小径部及びこの小径部に差し込まれる他のバー部材の大径部に設けた開孔部に突入して前記小径部に差し込まれる他のバー部材の大径部の外周面から突出するストッパー部材を設けたことを特徴とする簡易組立式サッカーゴール。
【請求項２】
　前記直線型バー部材は、少なくとも第１直線型バー部材と、大径部の長さが前記第１直線型バー部材に比べて半分の長さを有する第２直線型バー部材の異なる長さの直線型バー部材セットを有するものとした請求項１記載の簡易組立式サッカーゴール。
【考案の詳細な説明】
【技術分野】
【０００１】
　本考案は組立式サッカーゴールに関するものである。
【背景技術】
【０００２】
　従来、このような組立式サッカーゴールは、一定の大きさのサッカーゴールしか組み立てることができなかった。（例えば、特許文献１、特許文献２参照）
【特許文献１】特開平１１‐１２８４２５号公報
【特許文献２】実開平　６‐　７７７６９号公報
【考案の開示】
【考案が解決しようとする課題】
【０００３】
　従って、本考案の目的は、ゴール開口寸法が通常サッカーの試合に使用される公認サイズのサッカーゴールのみならず、ミニサッカーといわれるフットサル、また、例えば、幼稚園児用、小学生低学年用、小学校高学年用、中学生用と体格に合わせた種々のサイズの練習用サッカーゴールを簡単に組み立てることができる簡易組立式サッカーゴールを得るにある。
【課題を解決するための手段】
【０００４】
　この目的を達成するため、本考案簡易組立式サッカーゴールは、大径部及び一方の端部に小径部を有する直線型バー部材、及び前記大径部及び小径部を有して折れ曲がった大径部の直線部分の長さの合計が前記直線型バー部材の大径部の長さに等しいエルボー型バー部材のそれぞれを複数本組み合わせて組み立てる組立式サッカーゴールであって、各バー部材の一方の端部の前記小径部は同一長さであり、エルボー型バー部材の小径部とは反対側の大径部の直線部分の長さより短いものとし、前記小径部の内部に、ばね負荷で半径方向外方に押圧されて一部が前記小径部及びこの小径部に差し込まれる他のバー部材の大径部に設けた開孔部に突入して前記小径部に差し込まれる他のバー部材の大径部の外周面から突出するストッパー部材を設けたことを特徴とする。
【考案の効果】
【０００５】
　本考案によれば、直線型バー部材及びエルボー型バー部材の使用本数を変更することにより、横から見たときＬ字状、Ｌ字の底辺を上方から見たときコの字をなして自立でき、Ｌ字の縦辺を正面から見たときコの字の開放辺を下側にした種々の大きさのゴール開口寸法を有するサッカーゴールを組み立てることができる。
【考案を実施するための最良の形態】
【０００６】
　直線型バー部材は、少なくとも第１直線型バー部材と、大径部の長さが前記第１直線型バー部材に比べて半分の長さを有する第２直線型バー部材の異なる長さの直線型バー部材セットを有するものとする。
【０００７】
　次に、図面につき本考案の好適な実施例を説明する。
【実施例１】
【０００８】
　図１に本考案の好適な実施例における簡易組立式サッカーゴールで使用する基本部材として、大径部１及び一方の端部に小径部２を有する第１直線型バー部材３と、大径部１′の長さが第１直線型バー部材３の大径部１と比べて半分の長さを有する第２直線形バー部材４と、一方の端部に小径部２を有する長尺の大径部１Ａ及びこの大径部１Ａに対して湾曲部１Ｃを介して９０°の角度をなす短尺の大径部１Ｂを有するエルボー型バー部材５を示す。
【０００９】
　エルボー型バー部材５の長尺の大径部１Ａ及び短尺の大径部１Ｂの長さの合計は第１直線型バー部材３の大径部１の長さに等しいもの、例えば、１．００ｍとする。また、大径部１Ａの長さは０．７ｍ、大径部１Ｂの長さは０．３ｍとする。小径部２は短尺の大径部１Ｂの長さより小さいものとする。
【００１０】
　小径部２は大径部１，１′，１Ａに対して一体に形成することもできるが、図２に示すように、互いに密に嵌合する別個のチューブ部材をリベット６により互いに固着するものとすることができる。この小径部２の内部には、ばね７のばね負荷で半径方向外方に押圧されるストッパー部材８を設ける。このストッパー部材８の先端部は、小径部２及びこの小径部２に差し込まれる他のバー部材の大径部１，１′，又は１Ｂにそれぞれ設けた開孔部９，９′に突入して小径部に差し込まれる他のバー部材の大径部１，１′，又は１Ｂの外周面から突出して互いに嵌合するバー部材を固着する。
【００１１】
　図３には、大径部１の長さが１．００ｍ又は０．５ｍの第１直線型バー部材３，４、並びに大径部１Ａの長さ０．７ｍ及び大径部１Ｂの長さ０．３ｍのエルボー型バー部材５をそれぞれ複数個使用し、ゴール開口寸法が横３．００ｍ×縦２．００ｍのフットサル用ゴール１０を組み立てた線図的正面図を示す。
【００１２】
　このフットサル用ゴール１０においては、左ゴールポスト１１を、小径部２を上向きにして第１直線型バー部材３及びエルボー型バー部材５の長尺の大径部１Ａを上下に継ぎ足して構成し、右ゴールポスト１２を、小径部２を下向きにしてエルボー型バー部材５の長尺の大径部１Ａ及び１個の第１直線型バー部材３を上下に継ぎ足して構成する。
【００１３】
　また、クロスバー１３を、左から順次エルボー型バー部材５の長尺の大径部１Ａ、２個の第１直線型バー部材３及びエルボー型バー部材５の短尺の大径部１Ｂを横方向に継ぎ足して構成する。左ゴールポスト１１に対してはエルボー型バー部材５の短尺の大径部１Ｂにより接合し、右ゴールポスト１２に対してはエルボー型バー部材５の長尺の大径部１Ａにより接合する。
【００１４】
　フットサル用ゴール１０を右側面からみると、図１の（ｂ）に示すように、Ｌ字状をなす。地面又は床面に設置するＬ字の右ベースバー１４は、短尺の大径部１Ｂで右ゴールポスト１２に接合したエルボー型バー部材５の長尺の大径部１Ａと、第２直線型バー部材４と、長尺の大径部１Ａでベースクロスバー１５に接合したエルボー型バー部材５の短尺の大径部１Ｂとにより構成する。
【００１５】
　フットサル用ゴール１０を左側面からみると、図１の（ｃ）に示すように、逆Ｌ字状をなす。地面又は床面に設置する逆Ｌ字の左ベースバー１６は、長尺の大径部１Ａが左ゴールポスト１１の一部をなすエルボー型バー部材５の短尺の大径部１Ｂと、第２直線型バー部材４と、短尺の大径部１Ｂでベースクロスバー１５に接合したエルボー型バー部材５の長尺の大径部１Ａとにより構成する。
【００１６】
　ベースクロスバー１５は、クロスバー１３に対して平行であり、後方にずれて地面又は床面に設置する。クロスバー１３では各小径部２が右向きであるのに対し、ベースクロスバー１５では各小径部２が左向きである。また、このベースクロスバー１５は、左から順次エルボー型バー部材５の短尺の大径部１Ｂ、２個の第１直線型バー部材３及びエルボー型バー部材５の長尺の大径部１Ａを横方向に継ぎ足して構成する。左ベースバー１６に対してはエルボー型バー部材５の長尺の大径部１Ａにより接合し、右ベースバー１４に対してはエルボー型バー部材５の短尺の大径部１Ｂにより接合する。
【００１７】
　このようにして組み立てるゴールのフレームに対して、ネットの端縁を紐等でくくり付ける。分解した複数個の基本部材及びネットは一つの適切な大きさのバッグに収納して保管及び運搬することができる。
【産業上の利用可能性】
【００１８】
　本考案簡易組立式サッカーゴールによれば、サッカーゴールのみならず、フットサル用のゴールとしても組み立てることができる。また、幼稚園児用、小学生低学年用、小学校高学年用、中学生用と体格に合わせた種々のサイズの練習用サッカーゴールを簡単に組み立てることができるため、低年齢層が手軽にサッカーを楽しむことができ、幅広い年齢層にわたる愛好者を増大させ、サッカー業界の普及振興に貢献することができる。
【図面の簡単な説明】
【００１９】
【図１】本考案の好適な実施例における簡易組立式サッカーゴールの基本部材を示す線図的側面図である。
【図２】本考案の好適な実施例における簡易組立式サッカーゴールの基本部材の各バー部材の小径部の内部を示す一部断面とする拡大側面図である。
【図３】本考案の好適な実施例における簡易組立式サッカーゴールの基本部材を複数個使用して組み立てたフットサル用ゴールの線図的正面図である。
【符号の説明】
【００２０】
　１　大径部
１Ａ　長尺の大径部
１Ｂ　短尺の大径部
１Ｃ　湾曲部
　２　小径部
　３　第１直線型バー部材
　４　第２直線形バー部材
　５　エルボー型バー部材
　６　リベット
　７　ばね
　８　ストッパー部材
　９　開孔
　９′開孔
１０　フットサル用ゴール
１１　左ゴールポスト
１２　右ゴールポスト
１３　クロスバー
１４　右ベースバー
１５　ベースクロスバー
１６　左ベースバー
【図１】
0003100080.tif 000003
【図２】
0003100080.tif 000004
【図３】
0003100080.tif 000005